(57)【要約】【課題】本発明の課題は、ボールペンレフィルを軸筒内に２本以上配設する多芯筆記具において、各インキ収容筒に異なるボールペン用インキを収容する黒色ボールペンレフィルを２本以上収容する多芯筆記具を提供するものである。【解決手段】インキ収容筒の先端部に、ボールを回転自在に抱持したボールペンチップを直接あるいはチップホルダーを介して装着したボールペンレフィルを軸筒内に２本以上配設し、前記ボールペンチップを、前記軸筒の先端開口部より選択的に出没可能とする出没機構を具備してなる多芯筆記具において、前記ボールペンレフィルの少なくとも２本以上に異なる黒色ボールペン用インキを充填するとともに、該黒色ボールペン用インキが色差を有することを特徴とする多芯筆記具。【選択図】          図１
2011062968.tif 000002
【特許請求の範囲】
【請求項１】
インキ収容筒の先端部に、ボールを回転自在に抱持したボールペンチップを直接あるいはチップホルダーを介して装着したボールペンレフィルを軸筒内に２本以上配設し、前記ボールペンチップを、前記軸筒の先端開口部より選択的に出没可能とする出没機構を具備してなる多芯筆記具において、前記各ボールペンレフィルの少なくとも２本以上に異なる黒色ボールペン用インキを充填するとともに、該黒色ボールペン用インキが色差を有することを特徴とする多芯筆記具。
【請求項２】
前記黒色ボールペン用インキが、少なくとも、着色剤を含有し、該着色剤が、黒色着色剤と、該黒色着色剤を除く有色着色剤とからなるとともに、前記黒色着色剤の含有量をＡ質量％、前記該黒色着色剤を除く有色着色剤の含有量をＢ質量％とした時、１．０≦Ａ／Ｂ≦１０．０の関係を満足する黒色ボールペン用インキを含有するボールペンレフィルを少なくとも含むことを特徴とする請求項１に記載の多芯筆記具。
【請求項３】
前記黒色ボールペン用インキが、黒色着色剤の色と、有色着色剤の色からなる色相において、彩度が、１０％以上、５０％未満であることを特徴とする請求項２に記載の多芯筆記具。
【請求項４】
前記ボールペンレフィルが、前記黒色着色剤を除く有色着色剤と略同色部を少なくとも有することを特徴とする請求項２または３に記載の多芯筆記具。
【請求項５】
前記多芯筆記具が、ボールペンレフィルの後部に連接した摺動体を、コイルスプリングにより軸筒後端方向に付勢して摺動溝に摺動自在に収納し、前記摺動体を軸筒先端方向にスライドすることにより、前記ボールペンレフィルの前記ボールペンチップを、前記軸筒の先端開口部より選択的に出没可能とする出没機構を具備してなるスライド式の多芯筆記具であって、前記摺動体に、前記黒色着色剤を除く有色着色剤と略同色部を少なくとも有することを特徴とする請求項２または３に記載の多芯筆記具。
【発明の詳細な説明】
【技術分野】
【０００１】
本発明は、軸筒内に２本以上のボールペンレフィルを配設してなる多芯筆記具に関し、さらに詳細には、各ボールペンレフィルに異なるボールペン用インキを含有した、色差を有する黒色のボールペンレフィルを２本以上、配設する多芯筆記具に関するものである。
【背景技術】
【０００２】
従来から、軸筒内にボールペンレフィルを含む複数の筆記体を配設し、筆記先端部を口先部の先端開口部より選択的に出没可能な、スライド式、回転式、ノック式等の多芯筆記具は、よく知られている。また、こうした筆記具のボールペンレフィルのインキ収容筒に充填するインキ色は、黒、赤、青、緑色などの異なるインキ色を充填した多芯筆記具が良く知られている。
【０００３】
このような多芯筆記具としては、特開２００１−１１３８８２号公報「ボールペン体を含む多芯筆記具」、特開２００４−５８５４９号公報「多芯筆記具」、特開２００５−６６９６３号公報「多芯筆記具」に、各ボールペンレフィルのインキ収容筒に、異なる２〜４色のインキ色を充填した多芯筆記具が開示されている。
【先行技術文献】
【特許文献】
【０００４】
【特許文献１】「特開２００１−１１３８８２号公報」
【特許文献２】「特開２００４−５８５４９号公報」
【特許文献３】「特開２００５−６６９６３号公報」
【発明の開示】
【発明が解決しようとする課題】
【０００５】
特許文献１〜３のような多芯筆記具は、ボールペンレフィルのインキ収容筒に、黒、赤、青、緑色などの異なるインキ色を充填したボールペンレフィルを２本以上配設して、多色筆記具として、使用目的等によって使いわけを行っているが、黒色は、公式文書などに使用するため、他の色に比べて、使用頻度が多い。
【０００６】
こうした問題を鑑みて、黒色ボールペンレフィルを複数本収容することが考えられるが、同一のボールペン用インキを用いた全くの同色であるため、色の違いによる使用区別などを行うことはできなかった。
【０００７】
ところで、同一の色相であっても、彩度や明度によって受ける色感は、異なってくる。例えば、赤色、橙色、黄色は暖色系であるため、黒色であっても、こうした色を帯びた黒は、暖かみを有する。一方、青緑、青、青紫は、寒色系であるため、こうした色を帯びた黒は、冷たく落ち着いた感じを有する。また、暖色系の色は、実際よりも近く感じる進出色であるため、こうした色を帯びた黒は、実際よりも遠く感じる後退色である寒色系を帯びた黒と距離感も異なる。
【０００８】
そこで、従来の黒色とは違った色調、例えば、青味を帯びた黒色ボールペン用インキや赤味を帯びた黒色ボールペン用インキ等の黒色以外の色味を帯びたものを用いた黒色ボールペンレフィル等を２本以上収容する多芯筆記具が待ち望まれる。
【０００９】
本発明はこうした事実に鑑みてなされたもので、各インキ収容筒に異なるボールペン用インキを収容し、色差を有する黒色ボールペンレフィルを２本以上収容する多芯筆記具を提供するものである。
【課題を解決するための手段】
【００１０】
本発明は、上記課題を解決するために、
「１．インキ収容筒の先端部に、ボールを回転自在に抱持したボールペンチップを直接あるいはチップホルダーを介して装着したボールペンレフィルを軸筒内に２本以上配設し、前記ボールペンチップを、前記軸筒の先端開口部より選択的に出没可能とする出没機構を具備してなる多芯筆記具において、前記各ボールペンレフィルの少なくとも２本以上に異なる黒色ボールペン用インキを充填するとともに、該黒色ボールペン用インキが色差を有することを特徴とする多芯筆記具。
２．前記黒色ボールペン用インキが、少なくとも、着色剤を含有し、該着色剤が、黒色着色剤と、該黒色着色剤を除く有色着色剤とからなるとともに、前記黒色着色剤の含有量をＡ質量％、前記該黒色着色剤を除く有色着色剤の含有量をＢ質量％とした時、１．０≦Ａ／Ｂ≦１０．０の関係を満足する黒色ボールペン用インキを含有するボールペンレフィルを少なくとも含むことを特徴とする第１項に記載の多芯筆記具。
３．前記黒色ボールペン用インキが、黒色着色剤の色と、有色着色剤の色からなる色相において、彩度が、１０％以上、５０％未満であることを特徴とする第２項に記載の多芯筆記具。
４．前記ボールペンレフィルが、前記黒色着色剤を除く有色着色剤と略同色部を少なくとも有することを特徴とする第２項または第３項に記載の多芯筆記具。
５．前記多芯筆記具が、ボールペンレフィルの後部に連接した摺動体を、コイルスプリングにより軸筒後端方向に付勢して摺動溝に摺動自在に収納し、前記摺動体を軸筒先端方向にスライドすることにより、前記ボールペンレフィルの前記ボールペンチップを、前記軸筒の先端開口部より選択的に出没可能とする出没機構を具備してなるスライド式の多芯筆記具であって、前記摺動体に、前記黒色着色剤を除く有色着色剤と略同色部を少なくとも有することを特徴とする第２項または第３項に記載の多芯筆記具。」とする。
【発明の効果】
【００１１】
本発明は、各インキ収容筒に異なるボールペン用インキを収容し、色差を有する黒色ボールペンレフィルを２本以上収容する多芯筆記具を提供することができた。
【図面の簡単な説明】
【００１２】
【図１】本発明の多芯筆記具を示す、縦断面図である。
【図２】図１におけるボールペンレフィルの突出状態を示す図である。
【発明を実施するための最良の形態】
【００１３】
本発明の特徴は、ボールペンレフィルを軸筒内に２本以上配設する多芯筆記具において、前記各ボールペンレフィルの少なくとも２本以上に異なる黒色ボールペン用インキを充填するとともに、該黒色ボールペン用インキが色差を有することである。
【００１４】
黒色で、色差を有するには、明度を変えることによっても実現可能であるが、黒色着色剤からなる、一種のボールペン用インキと、黒色着色剤と、該黒色着色剤を除く有色着色剤を含有することで、他の色味を帯びた黒色が実現できるので最も好ましい。尚、黒色着色剤の色及び黒色着色剤を除く有色着色剤の色とは、ボールペン用インキ中において、溶解又は分散後に呈する色のことである。
【００１５】
尚、色差については、色差計（東京電色（株）製、ＴＣ−３６００）にて、例えば、一種のボールペン用インキを基準とし、他種のボールペン用インキを測定することによって色差を求めることができる。
【００１６】
本発明に用いる黒色着色剤としては、染料、及び／または、顔料が用いることができる。染料については、直接染料、酸性染料、塩基性染料などが採用可能である。顔料については、無機、有機、加工顔料などが挙げられる。これらの黒色着色剤の含有量は、インキ組成物全量に対し、１質量％〜５０質量％が好ましく、さらに、インキ経時安定性を考慮すれば、１質量％〜３０質量％が最も好ましい。
【００１７】
また、本発明に用いる黒色着色剤を除く有色着色剤は、青、赤、黄、緑等の黒色を除く有色着色剤が利用可能であり、染料及び／または顔料を用いることができる。染料については、直接染料、酸性染料、塩基性染料、含金染料などや、それらの各種造塩タイプの染料等が採用可能である。顔料については、無機、有機、加工顔料などが挙げられる。これらの染料および顔料は、２種以上組み合わせて使用することができ、含有量は、前述した黒色着色剤よりも少なくする方が好ましい。
【００１８】
尚、黒色着色剤と、該黒色着色剤を除く有色着色剤には、染料を用いることが最も好適である。これは、染料は、インキ中での溶解安定性が良く、また、染料を２種以上入れても、溶解安定するため、色調も長期間良好であるためである。
【００１９】
具体的には、黒色着色剤に用いられる水溶性染料として、ダイレクトブラック１７、同１９、同２２、同３２、同３８、同５１、同７１、同１５４、同１６８、同１９５、アシッドブラック１、同２、同２４、同２６、同３１、同５２、同１０７、Ｃ．Ｉ．ベ−シックブラック２等、油溶性染料としてバリファーストブラック１８０２、同１８０５、同１８０７等が例示できる。
【００２０】
また有色着色剤に用いられる水溶性染料の具体例として、直接染料は、ダイレクトエロー４、同２６、同４４、同５０、ダイレクトレッド１、同２、同４、同２３、同３１、同３７、同３９、同７５、同８０、同８１、同８３、同２２５、同２２６、同２２７、ダイレクトブルー１、同３、同１５、同４１、同７１、同８６、同１０６、同１１９、ダイレクトオレンジ６等、酸性染料は、アシッドブラック１、同２、同２４、同２６、同３１、同５２、同１０７、アシッドオレンジ５６、アシッドエロー３、同１７、同１９、同２３、同４２、同４９、同６１、アシッドレッド８、同９、同１４、同１８、同５１、同５２、同７３、同８７、同９２、同９４、アシッドブルー１、同７、同９、同２２、同６２、同９０、同１０３、アシッドグリーン３、同９、同１６、同２５、同２７、アシッドバイオレット１５、同１７等が挙げられ、これらを１種又は２種以上用いることができる。更にまた、塩基性染料としては、Ｃ．Ｉ．ベ−シックエロ−１、同２、同２１、Ｃ．Ｉ．ベ−シックオレンジ２、同１４、同３２、Ｃ．Ｉ．ベ−シックレッド１、同２、同９、同１４、Ｃ．Ｉ．ベ−シックバイオレット１、同３、同７、同１０、Ｃ．Ｉ．ベ−シックブル−３、同７、同２６、ベ−シックグリ−ン４、Ｃ．Ｉ．ベ−シックブラウン１２、Ｃ．Ｉ．ベ−シックブラック２、メチルバイオレット、ビクトリアブルーＦＢ、マラカイトグリーン、ローダミンのシリーズ等が挙げられ、また、油溶性染料の具体例としてバリファーストバイオレット１７０１、バリファーストブルー１６０１、同１６０５、同１６２１、バリファーストレッド１３２０、同１３５５、同１３６０、バリファーストイエロー１１０１、同１１５１、ニグロシンベースＥＸＢＰ、同ＥＸ、ＢＡＳＥ  ＯＦ  ＢＡＳＩＣ  ＤＹＥＳ  ＲＯＢ−Ｂ、同ＲＯ６Ｇ−Ｂ、同ＶＰＢ−Ｂ、同ＶＢ−Ｂ、同ＭＶＢ−３、アイゼンスピロンブラック  ＧＭＨ−スペシャル、アイゼンスピロンバイオレット  Ｃ−ＲＨ、アイゼンスピロンブルー  ＧＮＨ、同２ＢＮＨ、同Ｃ−ＲＨ、アイゼンスピロンレッド  Ｃ−ＧＨ、同Ｃ−ＢＨ、アイゼンスピロンイエロー  Ｃ−ＧＮＨ、同Ｃ−２ＧＨ、Ｓ．Ｐ．Ｔ．ブルー１１１、同ブルーＧＬＳＨ−スペシヤル、Ｓ．Ｐ．Ｔ．レッド５３３、Ｓ．Ｐ．Ｔ．オレンジ６、Ｓ．Ｂ．Ｎ．バイオレット５１０、Ｓ．Ｂ．Ｎ．イエロー５１０、同５３０、Ｓ．Ｒ．Ｃ−ＢＨ等が挙げられ、これらを１種又は２種以上用いることができる。
【００２１】
黒色着色剤と、該黒色着色剤を除く有色着色剤とからなる他種の黒色ボールペン用インキは、黒色着色剤の色と、黒色着色剤を除く有色着色剤の色からなる色相において、黒色着色剤単独の彩度を０％、該黒色着色剤を除く有色着色剤単独の彩度を１００％としたとき、彩度が、１０％より小さいと、黒色着色剤の発色が強く、黒色着色剤を除く有色着色剤の色味が判断し難く、５０％以上であると、該黒色着色剤を除く有色着色剤の色味が強く、黒色に視認しにくいため、１０％以上、５０％未満が好ましく、２５％以下が最も好ましい。
【００２２】
また、黒色着色剤をＡ質量％、該黒色着色剤を除く有色着色剤をＢ質量％とした時、Ａ／Ｂ＜１．０であると、該黒色着色剤を除く有色着色剤の色味が強く、黒色に視認しにくい。Ａ／Ｂ＞１０．０であると、黒色着色剤の発色が強く、黒色着色剤を除く有色着色剤の色味が判断し難い。そのため、Ａ、Ｂの関係は、１．０≦Ａ／Ｂ≦１０．０が好ましく、２．０≦Ａ／Ｂ≦５．０が最も好ましい。
【００２３】
また、黒色着色剤と、黒色着色剤を除く有色着色剤とからなる他種の黒色ボールペン用インキは、黒色着色剤の色と、有色着色剤の色からなる色相において、黒色着色剤単独の色の明度を０％、白色の明度を１００％としたとき、明度が、２５％より大きいと、白っぽく霞んだ色となるため、各ボールペン用インキの明度は、２５％以下とすることが好ましい。
【００２４】
その他として、溶解安定性、蒸発乾燥防止等を考慮し、グリセリン、エチレングリコール、エチレングリコールモノフェニルエーテル、プロピレングリコールモノメチルエーテル、ベンジルアルコール、メタノール、１−プロパノール等の有機溶剤、潤滑性の向上を考慮し、リン酸エステル系、シリコン系等の界面活性剤や脂肪酸やその塩、有機アミン等のｐＨ調整剤、尿素、ソルビット等の保湿剤、ベンゾトリアゾール等の防錆剤、１，２ベンゾイソチアゾリン−３−オン等の防菌剤を添加することができる。また、分散剤も適宜添加可能で、樹脂として、アクリル系樹脂、アルキッド樹脂、セルロース誘導体、ポリビニルピロリドン、ケトン樹脂、テルペン樹脂等や、樹脂エマルジョンとして、アクリル系樹脂、ウレタン系樹脂、スチレン−ブタジエン系樹脂、ポリエステル系樹脂、酢酸ビニル系樹脂等を、また、着色剤安定剤、可塑剤、キレート剤などを適宜用いても良い。これらは単独又は２種以上組み合わせて使用することができる。
【００２５】
また、インキ粘度調整剤を用いても良く、アクリル系樹脂、セルロース誘導体、ポリビニルピロリドン、ポリビニルアルコール等の樹脂や、キサンタンガム、架橋型アクリル酸重合体、サクシノグリカン、ガーガム、水添ヒマシ油、有機ベントナイト、シリカ、脂肪酸アマイドおよびその誘導体などの剪断減粘性付与剤等が挙げられる。これらは、単独又は２種以上混合して使用してもよい。
【００２６】
次に図面を参照しながら、本発明の多芯筆記具の実施例を説明するが、本発明は以下の実施例に限定されるものではない。
【００２７】
実施例１
図１、２に示すように、実施例１の多芯筆記具１は、前軸２の後端に後軸３を螺着し、軸筒本体を構成し、この軸筒本体内に異なるボールペン用インキを収容したボールペンレフィル８、１０を収納してある。
【００２８】
また、後軸３には軸心方向に沿って延びる、外方に開口した摺動溝３aを径方向に区画して形成してあり、この摺動溝３aに、摺動体４、６を摺動可能に配設する。摺動体４、６には操作部５、７が設けてあり、この操作部５、７を、摺動溝３aから後軸３の外周面より突出した状態で、弾発部材１２、１３により後方に付勢させて配設してある。
【００２９】
一方のボールペンレフィル１０を使用するには、選択した一方の摺動体６の操作部７を前軸２の先端開口部２ａ方向に前進せしめることで、摺動体６に形成した係止部６aが後軸３の内部に形成した止め部３bに係止して、ボールペンレフィル１０を前進せしめ、ボールペンレフィル１０の筆記先端部１１を、前軸２の先端開口部２ａから選択して突出することができる。
【００３０】
また、ボールペンレフィル１０の筆記先端部１１を突出した状態で維持している場合に、他方の摺動体４の操作部５を軸筒先端方向に前進せしめることにより、他方の解除突起６bによって、止め部３bに係止している一方の係止部６aを解除して、摺動体に連接したボールペンレフィル１０の筆記先端部１１を軸筒内に没入することができる。
【００３１】
ボールペンレフィル１０は、インキ収容筒の先端部に、ステンレス綱材からなるチップ本体のボール抱持室に、ボール径がφ０．７ｍｍの超硬合金ボールを回転自在に抱持したボールペンチップを具備し、インキ収容筒内に下記のインキ配合１によって得られたボールペン用インキ組成物１４及びグリース状のインキ追従体１５を直に充填してボールペンレフィルを得ている。
【００３２】
インキ配合1
水                                                      ５９．０質量部
水溶性有機溶剤（エチレングリコール）                    ２０．０質量部
着色剤（ダイレクトブラック１５４）                        ５．５質量部
着色剤（Acid  Blue  ９）                                  ０．５質量部
潤滑剤（リン酸エステル系界面活性剤）                      ０．５質量部
潤滑剤（脂肪酸）                                          ０．５質量部
ｐＨ調整剤（トリエタノールアミン）                        ５．０質量部
保湿剤（尿素）                                            ５．０質量部
保湿剤（ソルビット）                                      １．５質量部
防菌剤（１，２ベンゾイソチアゾリン−３−オン）            ０．５質量部
防錆剤（ベンゾトリアゾール）                              ０．５質量部
剪断減粘性付与剤（サクシノグリカン）                      ０．１質量部
剪断減粘性付与剤（キサンタンガム）                        ０．２質量部
剪断減粘性付与剤（架橋型アクリル酸重合体）                ０．２質量部
【００３３】
インキ配合１は、先ず、着色剤、水、水溶性有機溶剤、潤滑剤、保湿剤、ｐＨ調整剤、防菌剤、防錆剤をマグネットホットスターラーで加温撹拌してベースインキを作成する。その後、上記作製したベースインキを加温しながら、剪断減粘性付与剤を投入してホモジナイザー攪拌機を用いて均一な状態となるまで充分に混合攪拌した後、濾紙を用い濾過を行って、黒色のボールペン用インキ１４を得ている。
【００３４】
ボールペンレフィル８は、ボールペンレフィル１０と同様に、インキ収容筒の先端部に、ステンレス綱材からなるチップ本体のボール抱持室に、ボール径がφ０．７ｍｍの超硬合金ボールを回転自在に抱持したボールペンチップからなる筆記先端部９を具備し、インキ収容筒内にインキ配合２の黒色のボールペン用インキ及びグリース状のインキ追従体（図示せず）を直に充填してボールペンレフィル１０を得ている。尚、各インキ配合、インキ消費量、インキ粘度は、表１に示す通りである。
【００３５】
表１
2011062968.tif 000003
【００３６】
黒色ボールペン用インキ１４は、黒色着色剤に呈する黒色に、有色着色剤の青色味を帯びた色、黒色ボールペン用インキ１６は、黒色着色剤に呈する黒色に、有色着色剤の黄色味を帯びた色となるため色差を有するボールペン用インキを収容したボールペンレフィルとしてある。
【００３７】
尚、ボールペンレフィル１０、８には、黒色着色剤を除く有色着色剤と同色又は近似した色の同色部品を備えてある方が好ましい。具体的には、ボールペンレフィル１０は青色、ボールペンレフィル８は黄色の尾栓、チップホルダー、グリップ、インキ追従体等、黒色着色剤を除く有色着色剤と同色又は近似した色の同色部品を備えて、それぞれの黒色ボールペンレフィルの色の違いの区別がし易いようにすることが好ましく、生産上、混在を防ぐことが可能になる。
【００３８】
また、ボールペンレフィルの摺動体４、６の外部に露出する部分である操作部５、７を、前記黒色着色剤を除く有色着色剤と略同色部を有することで、色識別し易くなるため、より好ましい。具体的には、前記摺動体４、６の操作部５は、青色を、操作部７は、黄色を少なくとも用いることで、黒色着色剤を除く有色着色剤と同色又は近似した色の同色部品とすることが好ましい。また、前記摺動体４、６や、前記操作部５、７を、それぞれ異なる形状や寸法などにすることで、それぞれの黒色ボールペンレフィルの色の識別化を行うことも可能である。
【００３９】
また、１００ｍ当たりのインキ消費量が多いほど、筆跡が視認しやすい。具体的には、１００ｍ当たりのインキ消費量が、５０ｍｇ以上とする。但し、インキ消費量が多すぎると、擦過性や浸透性等、新たな課題が発生する恐れがあるため、１００ｍ当たりのインキ消費量が、５０ｍｇ〜３００ｍｇ、好ましくは８０ｍｇ〜２５０ｍｇとする。
【００４０】
本実施例では、便宜上、剪断減粘性を付与した水性ボールペン用インキを用いているが、油性インキや水性インキ等、特に限定されるものではない。また、実施例には記載していないが、黒色インキ組成物として、配合例３、４等のような黒色着色剤に呈する黒色に、有色着色剤を用いて、赤色や、緑色を帯びた黒色インキ組成物でも、配合例５のような黒色着色剤に呈する黒色だけを用いた黒色インキ組成物を用いても良い。
【００４１】
また、インキ粘度も特に限定されるものではないが、２０℃、剪断速度３８４ｓｅｃ−１（１００ｒｐｍ）における粘度が１００ｍＰａ・ｓを超えると、１００ｍ当たりのインキ消費量を多くし難くなるため、１００ｍＰａ・ｓ以下、好ましくは７０ｍＰａ・ｓ以下とする。また、１０ｍＰａ・ｓ未満だと、チップ先端からの垂れ下がりが発生し易くなるため、１０ｍＰａ・ｓ以上、１００ｍＰａ・ｓ以下とすることが最も好ましい。
【００４２】
インキ粘度は、ブルックフィールド社製ＤＶ−ＩＩ粘度計（Ｎｏ２７ローター）を用いて２０℃の環境下で、剪断速度３８４ｓｅｃ−１（１００ｒｐｍ）の条件にてインキ粘度を測定することができる。また、図示はしていないが、チップ内にボールを押圧するコイルスプリングを内蔵し、チップ先端からのインキ漏れ出しを抑制することが最も好ましい。
【００４３】
本発明の多芯筆記具は、スライド式、回転式、ノック式等でも良く、ボールペンレフィルを軸筒内に２本以上配設してなる多芯筆記具であれば特に限定されないが、実施例のように、スライド式の多芯筆記具とし、出没機構に連動し、外部に露出する摺動部材に、黒色着色剤を除く有色着色剤と略同色部にて色表示を行うことで、色の識別がし易くなるので最も好ましい。
【産業上の利用可能性】
【００４４】
本発明の多芯筆記具は、２本のボールペンレフィルを収容した多芯筆記具に限定されるものではなく、３本以上のボールペンレフィルを収納した多芯筆記具や、シャープペンシル体とボールペンレフィルを少なくとも収納した複合筆記具等、幅広く用いることができる。また、多芯筆記具は、少なくとも２本以上のボールペンレフィルに異なる黒色ボールペン用インキを充填するとともに、該黒色ボールペン用インキが色差を有するものであれば良く、その他のボールペンレフィルに充填するインキ色は、青、赤、緑色や蛍光色、メタリック色、パステル色などを用いても良い。
【符号の説明】
【００４５】
１  多芯筆記具
２  前軸
２a  前軸の先端開口部
３  後軸
３a  摺動溝
３b  止め部
４、６  摺動体
４a、６a  係止部
４b、６b  解除突起
５、７  操作部
８、１０  ボールペンレフィル
９、１１  筆記先端部
１２、１３  弾発部材
１４  ボールペン用インキ
１５  インキ追従体
【図１】
2011062968.tif 000004
【図２】
2011062968.tif 000005